(57)【特許請求の範囲】
【請求項１】
第一端部と第二端部を有する周縁側壁、中心の長手方向軸、及び一つ以上の取り付け装置により前記側壁の前記第一端部に取り付けられるリムを含むハウジングであって、前記リムは、開口部、内表面及び外表面を含み、前記取り付け装置は各々、前記側壁の前記第一端部と前記リムとの間に延びる第一ポストと第二ポストと、前記第一ポストと前記第二ポストとの間に延び底面を区画形成する細長い半径方向スロットと、前記第一ポストと前記第二ポストとの間に延びる長手方向スロットを含み、前記長手方向スロットは、前記半径方向スロットと連通し、前記長手方向スロットは、前記リムの前記外表面に開口部を区画形成し、前記第一ポストは、前記取り付け装置の前記底面から前記リムの前記外表面に向かって延びる傾斜ランプを含み、前記第二ポストは、前記底面の上方に延び且つ前記底面から間隔を開けて配置された張出しを含むハウジングと；
前記ハウジングの前記開口部の内部に取り外し自在に受け入れられるようになっている取り付け部材を含むカバーであって、前記取り付け部材は、一つ以上の外向きに延びる取り付けラグを含み、前記ラグは各々、前記取り付け装置のそれぞれの前記半径方向スロットに受け入れられるようになっている前記カバーとを備え；
前記カバーを中心軸の周囲で前記ハウジングに対し回転方向に回転させることにより、前記カバーは前記ハウジングから取り外されるようになっていて、前記取り付けラグが前記ランプに係合するまで、前記取り付けラグは前記取り付け装置の前記底面にほぼ平行に移動し、前記カバーをさらに回転移動させることにより、前記ラグが前記ランプに沿って摺動し、前記カバーは前記ハウジングから離れて前記中心軸に沿って外向きに移動することを特徴とする、
ゲージ用筺体。
【請求項２】
前記傾斜ランプは各々、前記取り付け装置の前記底面から前記リムの前記外表面へ延びることを特徴とする、請求項１に記載のゲージ用筺体。
【請求項３】
前記傾斜ランプは各々、第一端部と第二端部を含み、前記ランプの前記第一端部は、ほぼ凹形に湾曲した表面部分を含み、また前記ランプの前記第二端部は、ほぼ凸形に湾曲した表面部分を含むことを特徴とする、請求項１に記載のゲージ用筺体。
【請求項４】
前記取り付け装置の前記長手方向スロットの少なくとも一部は各々、前記取り付け装置の前記底面の少なくとも一部と長手方向に一直線になることを特徴とする、請求項１に記載のゲージ用筺体。
【請求項５】
第一取り付け装置の前記第一ポストは、隣接する第二取り付け装置の第二ポストに取り付けられることを特徴とする、請求項１に記載のゲージ用筺体。
【請求項６】
前記第二ポストの前記張出しは各々、前記取り付け装置の前記底面にほぼ平行であるほぼ平坦な係合面を含むことを特徴とする、請求項１に記載のゲージ用筺体。
【請求項７】
前記ハウジングの前記周縁側壁は、ほぼ円形であり、また前記ハウジングの前記リムは、ほぼ円形であることを特徴とする、請求項１に記載のゲージ用筺体。
【請求項８】
前記ハウジングは、前記ハウジングの前記側壁の前記第二端部に取り付けられる端部壁を含むことを特徴とする、請求項１に記載のゲージ用筺体。
【請求項９】
前記ハウジングの前記リムは、内縁と外縁を含み、前記取り付け装置の前記長手方向スロットは各々、前記リムの前記内縁を通って延びることを特徴とする、請求項１に記載のゲージ用筺体。
【請求項１０】
前記ハウジングは、複数の取り付け装置を含み、前記取り付け装置は、前記ハウジングの前記側壁に沿って且つ前記中心軸の周囲に互いにほぼ等間隔に配置されることを特徴とする、請求項１に記載のゲージ用筺体。
【請求項１１】
前記カバーは、前記カバーの前記取り付け部材の周囲に延びるシール部材を含むことを特徴とする、請求項１に記載のゲージ用筺体。
【請求項１２】
前記カバーは、前記取り付け部材から外向きに延びる環状カラーを含み、前記カラーは、周縁側壁を含むことを特徴とする、請求項１に記載のゲージ用筺体。
【請求項１３】
前記カバーの前記環状カラーの前記側壁は、複数の把持部材を含むことを特徴とする、請求項１２に記載のゲージ用筺体。
【請求項１４】
前記カバーの前記環状カラーと前記側壁は、前記取り付け部材の周囲に延びる環状凹所を形成し、前記凹所は前記ハウジングの前記リムを受け入れるようになっていることを特徴とする、請求項１３に記載のゲージ用筺体。
【請求項１５】
前記カバーが前記ハウジングに連結されるとき、前記カバーの前記側壁は、前記ハウジングの前記リムの前記外表面から前記ハウジングの前記リムのほぼ隣接した前記内表面へほぼ延びることを特徴とする、請求項１４に記載のゲージ用筺体。
【請求項１６】
前記カバーはベゼルを含み、前記環状カラーは前記ベゼルの周囲に延び、前記ベゼルはほぼ透明であることを特徴とする、請求項１２に記載のゲージ用筺体。
【請求項１７】
前記カバーの前記取り付けラグは各々、ほぼ平坦な頂面とほぼ平坦な底面を含むことを特徴とする、請求項１に記載のゲージ用筺体。
【請求項１８】
前記取り付け装置は各々、前記取り付け装置の前記底面から前記長手方向スロットを通って延びる長手方向通路を含み、前記通路は、前記ハウジングの前記中心軸に対しほぼ直線に且つほぼ平行に延び、前記カバーの前記取り付けラグは各々、それぞれの通路を通過するようになっていることを特徴とする、請求項１に記載のゲージ用筺体。
【請求項１９】
第一端部と第二端部を有する周縁側壁、中心の長手方向軸、及び一つ以上の取り付け装置により前記側壁の前記第一端部に取り付けられたリムを含むハウジングであって、前記リムは、開口部、内表面及び外表面を含み、前記取り付け装置は各々、前記側壁の前記第一端部と前記リムとの間に延びる第一ポストと第二ポストと、前記第一ポストと前記第二ポストとの間に延び底面を区画形成する細長い半径方向スロットと、前記第一ポストと前記第二ポストとの間に延びる長手方向スロットを含み、前記長手方向スロットは、前記半径方向スロットと連通し、前記長手方向スロットは、前記リムの前記外表面に開口部を区画形成し、前記第二ポストは、前記底面の上方に延び且つ前記底面から間隔を開けて配置された張出しを含み、前記第二ポストは、前記底面の上方に延び且つ前記底面から間隔を開けて配置された張出しと前記ハウジングからカバーを取り外すための手段を含むハウジングと；
前記ハウジングの前記開口部の内部に取り外し自在に受け入れられるようになっている取り付け部材を含むカバーであって、前記取り付け部材は、一つ以上の外向きに延びる取り付けラグを含み、前記ラグは各々、前記取り付け装置のそれぞれの前記半径方向スロットに受け入れられるようになっている前記カバーとを備え；
前記カバーを中心軸の周囲で前記ハウジングに対し回転方向に回転させることにより、前記カバーは前記ハウジングから取り外されるようになっていて、前記取り付けラグがカバーを取り外すための前記手段に係合するまで、前記取り付けラグは前記取り付け装置の前記底面にほぼ平行に移動し、前記カバーをさらに前記中心軸の周囲に回転させることにより、前記カバーは前記ハウジングから離れて前記中心軸に沿って外向きに移動し、
前記ハウジングからカバーを取り外すための前記手段は各々、前記取り付け装置の前記底面から前記リムの前記外表面に向かって延びる傾斜ランプを有することを特徴とする、ゲージ用筺体。
【請求項２０】
前記傾斜ランプは各々、第一端部と第二端部を含み、前記ランプの前記第一端部は、ほぼ凹形に湾曲した表面部分を含み、また前記ランプの前記第二端部は、ほぼ凸形に湾曲した表面部分を含むことを特徴とする、請求項１９に記載のゲージ用筺体。
【発明の詳細な説明】
【技術分野】
【０００１】
本発明は、ゲージ用筺体、詳細にはカバーと、カバー取り外し装置を有するハウジングを含むゲージ用筺体に関する。
【背景技術】
【０００２】
ゲージ、例えば圧力ゲージと温度ゲージは、ゲージの作動装置を有するエンクロージャを含む。ゲージ用筺体は、パネルに取り付けられるようになっているハウジングと、ハウジングに取り外し自在に取り付けられるカバーを含む場合が多い。カバーをハウジングから取り外し、ゲージ作動装置の検査、調節、保守又は取り替えを可能にすることが望ましい。しかしながら、工具を使用せずに手だけでカバーをハウジングから手動で取り外すことは難しい場合が多い。
【発明の開示】
【０００３】
本発明はハウジングとカバーを有するゲージ用筺体である。ハウジングは、第一端部と第二端部を有する周縁側壁と、中心の長手方向軸とを含む。側壁の第一端部は、周縁と、一つ以上の取り付け装置により側壁の縁に取り付けられたリムを含む。リムは、開口部、内表面及び外表面を含む。取り付け装置は各々、側壁の縁とリムとの間に延びている第一ポストと第二ポストを含む。細長い半径方向スロットは、第一ポストと第二ポストとの間に延び且つ底面を形成する。長手方向スロットは、第一ポストと第二ポストとの間に延びる。長手方向スロットは、半径方向スロットと連通する。長手方向スロットは、リムの外表面に開口部を含む。第一ポストは、取り付け装置の底面の間でリムの外表面に向かって延びている傾斜ランプを含む。第二ポストは、底面の上方に延びていて且つ底面から間隔を開けて配置された張出しを含む。カバーは、ハウジングの開口部の内部に取り外し自在に受け入れられるようになっているほぼ円筒型の取り付け部材を含む。取り付け部材は、一つ以上の外向きに延びている取り付けラグを含む。ラグは各々、取り付け装置のそれぞれの長手方向スロットに受け入れられるようになっている。
【０００４】
カバーは、取り付けラグを各々、ハウジングのそれぞれの取り付け装置の長手方向スロットを通り且つ半径方向スロットの中に挿入し、次にカバーと取り付けラグを、ハウジングに対し第一回転方向に回転させることにより、ハウジングに連結されるようになっている。取り付けラグは各々、それによって、取り付け装置の底面と張出しとの間に配置され、その結果張出しは、カバーがハウジングの中心軸に沿ってハウジングから外向きに移動することを阻止する。カバーをハウジングに対し第二回転方向に回転させることにより、カバーはハウジングから取り外されるようになっていて、取り付けラグは取り付けラグがランプに係合するまで取り付け装置の底面にほぼ平行に移動し、カバーのさらなる回転移動により、ラグがランプに沿って摺動すると、カバーは中心軸に沿ってハウジングから離れて外向きに移動する。
【発明を実施するための最良の形態】
【０００５】
パネル２２に取り付けられたゲージ用筺体２０の実施形態は、図１に示されている。パネル２２は、ほぼ平坦な外面２４と、この外面２４と間隔を開けて配置されたほぼ平行且つ平坦な内面２６を含む。筺体２０は、例えば、圧力ゲージ、温度ゲージ又は他の表示ゲージなどゲージの作動装置を受け入れ且つ有するようになっている。筺体２０は、ハウジング３０とカバー３２を含む。図３と図４に示されるように、ハウジング３０は、ほぼ直線の中心の長手方向軸３４と、中心軸３４の周囲に同心に拡がるほぼ円形且つ円筒型の周縁側壁３６を含む。側壁３６は、第一端部３８と第二端部４０との間に延びる。側壁３６は、第一端部３８においてほぼ円形の周縁４２を含む。ほぼ円形且つ環状のリム４４が、側壁３６の縁４２と第一端部３８に取り付けられる。リム４４は、中心軸３４の周囲にほぼ同心に拡がる。リム４４は、ほぼ円形の外縁４６とほぼ円形の内縁４８を含み、この縁は各々、中心軸３４の周囲でほぼ同心である。側壁３６によりハウジング３０内部に形成されるチャンバ５２と連通する開口部５０が、リム４４の内縁４８の傍に形成される。リム４４は、ほぼ平坦な外表面５４と、間隔を開けて配置され且つほぼ平行で平坦な内表面５６を含む。
【０００６】
リム４４は、一つ以上の取り付け装置６０により、側壁３６の第一端部３８にある縁４２に取り付けられる。取り付け装置６０は各々、第一ポスト６２と第二ポスト６４を含む。ポスト６２と６４は各々、側壁３６の第一端部３８にある縁４２からリム４４の内表面５６へ延びる。各取り付け装置の第一ポスト６２は、隣接する取り付け装置６０の第二ポスト６４に取り付け且つ一体成形できる。取り付け装置６０は、中心軸３４の周囲で側壁３６の周辺に沿って互いにほぼ等距離且つ均等に間隔を開けて配置される。取り付け装置６０は各々、側壁３６に沿って第一ポスト６２と第二ポスト６４との間に延びる細長い半径方向スロット７０を含む。半径方向スロット７０は、ほぼ平坦で且つ側壁３６の第一端部３８に沿って延びる底面７２を形成する。半径方向スロット７０の底面７２は、側壁３６の縁４２の一部として形成できる。半径方向スロット７０はまた、第二ポスト６４において底面７２にほぼ平行で且つ底面から間隔を開けて配置された係合面７６を有する張出し７４を形成する。半径方向スロット７０はまた、第二ポスト６４において、底面７２と係合面７６との間にほぼ垂直に延びる端部壁７８も形成する。必要なら、半径方向スロット７０は、中心軸３４からハウジング３０を通って半径方向外向きに延長できる。
【０００７】
取り付け装置６０はまた各々、第一ポスト６２と第二ポスト６４との間に延びる長手方向スロット８２も含む。長手方向スロット８２はまた、リム４４の外表面５４から側壁３６に向かって内向きにも延び且つ半径方向スロット７０と連通もする。長手方向スロット８２は、第二ポスト６４の張出し７４から第一ポスト６２へ延びる側壁８４を形成する。側壁８４は、リム４４の内表面５６から外表面５４へ延びる。側壁８４は、リム４４の外縁４６にほぼ平行である。長手方向スロット８２はまた、側壁８４からリム４４の内縁４８へ延びる端部壁８６も形成する。端部壁８６は、張出し７４の外側端部を形成する。
【０００８】
取り付け装置６０はまた各々、傾斜ランプ９０などのカバー取り外し装置も含む。ランプ９０は、底面７２に隣接して位置する第一端部９２とリム４４の外表面５４に隣接して位置する第二端部９４を含む。ランプ９０は、第一端部９２から第二端部９４へ延び且つ底面７２に対し約４５°の角度で傾斜される表面をもつことが好ましいが、他の傾斜角を用いてもよい。ランプ９０の第一端部９２は、底面７２から第二端部９４に向かって外向きに延びるほぼ凹形に湾曲した表面部分を含むとよい。必要なら、ランプ９０は、リム４４の外表面５４にわざわざ延びる必要はなく、またランプ９０の第二端部９４は、リム４４の外表面５４に隣接して位置するが、外表面から間隔を開けて配置することができる。
【０００９】
長手方向スロット８２は、ランプ９０の第二端部９４に隣接して位置する第一端部９８と張出し７４の端部壁８６に隣接して位置する第二端部１００を含む。半径方向スロット７０は、ランプ９０の第一端部９２に隣接して位置する第一端部１０２と、第二ポスト６４に隣接して位置する第二端部１０４を含む。張出し７４の端部壁８６は、ランプ９０の第一端部９２から間隔を開けて配置され、その結果長手方向スロット８２の第二端部１００は、半径方向スロット７０及び底面７２と長手方向に一直線に位置する。底面７６から長手方向スロット８２によりリム４４の外表面５４に形成される開口部へ延びる通路１０６が、中心軸３４にほぼ平行に形成される。
【００１０】
ハウジング３０はまた端部壁１１０も含む。端部壁１１０は、側壁３６の第二端部４０に且つ第二端部４０に沿って取り付けられ、また側壁３６と中心軸３４にほぼ垂直である。端部壁１１０は、中心軸３４の周囲に同心に位置するチャンバ５２と連通する中心開口１１２を含む。ハウジング３０は、プラスチック材料から一体形成できる。チャンバ５２は、ゲージの作動装置を受け入れるようになっている。
【００１１】
図７〜図９に示されるように、カバー３２は、ほぼ円筒型の取り付け部材１２０を含む。取り付け部材１２０は、ほぼ円形且つ円筒型の側壁１２２を含む。側壁１２２は、第一端部１２４から第二端部１２６へ延び且つ外表面１２８を含む。円周溝１３０が、側壁１２２の外表面１２８に配置され且つ側壁１２２の周囲に延びている。例えばＯ‐リングなどの弾性エラストマ・シール部材１３２が、溝１３０の内部に配置され且つ側壁１２２の周囲で側壁１２２の外表面１２８から外向きに延びる。取り付け部材１２０はまた、一つ以上の取り付けラグ１３４も含み、またハウジング３０の取り付け装置毎に一つの取り付けラグ１３４を含むことができる。必要なら、取り付け部材１２０は、ハウジング３０に含まれる取り付け装置６０の数よりも少ない取り付けラグ１３４を含むことができる。取り付けラグ１３４は各々、側壁１２２の外表面１２８から外側端部１３６へ外向きに延びる。取り付けラグ１３４はまた各々、ほぼ平坦な頂面１３８と、頂面１３８にほぼ平行であるほぼ平坦な底面１４０とをも含む。取り付けラグ１３４はまた各々、第一側壁１４４と、第一側壁１４４と間隔を開けて配置された第二側壁１４６とを含み、これら第一側壁１４４と第二側壁１４６は、側壁１２２の外表面１２８から取り付けラグ１３４の外側端部１３６へ外向きに延びる。第一側壁１４４及び/又は第二側壁１４６は、中心軸３４からの半径に対しほぼ平行に延びるか、又は中心軸３４からの半径に対し斜めに傾斜してもよい。
【００１２】
カバー３２はまた、カバーの周辺に沿って取り付け部材１２０の側壁１２２の第二端部１２６に取り付けられるほぼ円形のベゼル（斜面）１５２を含む。ベゼル１５２は、軸３４にほぼ垂直に且つ軸の周囲に同心に配置されるようになっている。ベゼル１５２は、透き通った又は透明な材料から形成され、その結果ゲージ作動装置の表示器を、ベゼル１５２を通して見ることができる。必要なら、ベゼル１５２は開口１５４を含み、例えばゲージ作動装置の表示器をゼロに合わせるなど外部からゲージ作動装置へのアクセスを可能にする。
【００１３】
カバー３２はまた、側壁１２２の第二端部１２６の周囲に且つそこから外向きに延びる環状カラー１５８と、ベゼル１５２を含む。カラー１５８は、側壁１２２の第二端部１２６から外向きに延びるほぼ円形且つ環状のフランジ１６０を含む。フランジ１６０は、環状の内表面１６２と間隔を開けて配置された環状の外表面１６４を含む。カラー１５８はまた、フランジ１６０の円形の外側端部に取り付けられた環状スリーブ１６６を含む。スリーブ１６６は、カバー３２の中心軸の周囲にフランジ１６０の外縁に沿ってほぼ同心に延びる。スリーブ１６６は、ほぼ側壁１２２の第二端部１２６から第一端部１２４に向かう方向において、側壁１２２にほぼ平行なフランジ１６０の外側端部からほぼ円形の先端部１６７へ延びる。スリーブ１６６のほぼ円形の先端部１６７は、取り付けラグ１３４の頂面１３８とほぼ同一平面に位置する。カラー１５８は、スリーブ１６６と側壁１２２との間及びフランジ１６０と取り付けラグ１３４の頂面１３８との間に配置されるほぼ環状の溝部１６８を含む。溝部１６８は、ハウジング３０のリム４４を受け入れるようになっている。カラー１５８は、スリーブ１６６により形成されるほぼ円筒型の側壁１７０と、スリーブ１６６の縁１６７からフランジ１６０の外表面１６４へ延びるフランジ１６０の外側端部を含む。カバー３２の中心軸にほぼ平行な方向の側壁１７０の長さは、例えば約5.08mm(0.200in.)など比較的短い。側壁１７０の外表面は、例えば側壁１７０の周囲に配置される隆起部などの複数の把持部材１７２を含む。
【００１４】
図１に示されるように、ハウジング３０をパネル２２に取り付け、またカバー３２をハウジング３０に連結するとき、カラー１５８の先端部１６７は、パネル２２の外面２４に近接して位置する。パネル２２は、それによって、ハウジング３０からカバー３２を取り外したいとき、ユーザの指がカバー３２の側壁１７０を把持できる範囲を抑制する。側壁１７０の高さが比較的短いこととパネル２２の締めしろのため、ユーザのほぼ指先だけがカバー３２の側壁１７０に係合できる。
【００１５】
カバー３２が、図１に示されるような閉鎖位置において、ハウジング３０に連結されるとき、カバー３２の取り付けラグ１３４は各々、それぞれの取り付け装置６０の内部に配置される。取り付けラグ１３４は、張出し７４の係合面７６に近接して配置される取り付けラグ１３４の頂面１３８と、底面７２に近接して配置される取り付けラグ１３４の底面１４０を有する半径方向スロット７０の中に延びる。取り付けラグ１３４の第一側壁１４４は、半径方向スロット７０により形成される端部壁７８に近接して配置される。シール部材１３２は、ハウジング３０の側壁３６の内面とシール係合して、カバー３２とハウジング３０との間にシールを創生している。中心軸３４に沿った直線の長手方向においてハウジング３０から離れるカバー３２の移動は、ハウジング３０内の取り付け装置６０の張出し７４の係合面７６と、カバー３２の取り付けラグ１３４の係合により阻止される。
【００１６】
カバー３２をハウジング３０から取り外したいとき、側壁１７０の把持部材１７２を、ユーザの指先で把持できる。カバー３２は、中心軸３４の周囲で図７に示されるような第一のほぼ反時計回り方向に回転される。カバー３２が、ハウジング３０に対し第一回転方向に回転すると、取り付けラグ１３４は、第二端部１０４から半径方向スロット７０の第一端部１０２に向かって、底面７２にほぼ平行に且つ中心軸３４に対し横断方向に、取り付けラグ１３４とカバー３２が開放位置に配置されるまで摺動する。カバーが開放位置にあるとき、ランプ９０に沿ってまだ摺動しなかった取り付けラグ１３４は各々、底面７２に隣接して位置し、また底面７２と張出し７４の係合面７６との間にはもはや位置しないが、その代わりに通路１０６内の長手方向スロット８２の第二端部１００の真下に位置する。
【００１７】
カバー３２がハウジング３０に対し開放位置にあるとき、カバー３２を軸３４に沿った直線の長手方向にハウジング３０から離して移動することにより、カバー３２をハウジング３０から取り外しでき、その結果取り付けラグ１３４は、取り付け装置６０の長手方向スロット８２を通路１０６に沿って通過できる。しかしながら、カバー３２が開放位置にあるが、取り付け装置６０の張出し７４が各々、カバー３２の長手方向移動を阻止しないとき、弾性シール部材３２は、ハウジング３０の側壁３６と係合してカバー３２を把持し、その結果シール部材１３２は、中心の長手方向軸３４に沿ってカバー３２をハウジングに対し移動するために克服しなければならない保持力を与える。カバー３２の側壁１７０の高さが比較的短いため、ユーザの指先でカバー３２に十分な把持を達成し、軸３４に沿ってハウジング３０から離してカバー３２を押し開けるためにネジまわしなどの工具を使用せずにシール部材１３２により与えられる保持力を克服することは難しい。
【００１８】
ユーザが、工具を使用せずにシール部材３２により与えられる保持力を克服し通路１０６に沿ってカバー３２を容易に取り外しできないとき、ユーザは、カバー３２をハウジング３０に対し開放位置から第一回転方向に回転し続けることができる。そのようなハウジング３０に対するカバー３２のさらなる回転により、取り付けラグ１３４を回転させ、第一端部９２にあるランプ９０の凹形に湾曲した部分に係合させる。カバー３２のハウジング３０に対する第一回転方向のさらなる回転により、取り付けラグ１３４を各々、ランプ９０の表面に沿ってランプ９０の第二端部９４に向かって摺動させる。取り付けラグ１３４が傾斜ランプ９０に沿って摺動すると、カバー３２は、中心軸３４の周囲を第一方向に回転し且つ傾斜ランプ９０により与えられる機械的な利点によって、シール部材３２により与えられる保持力を克服しながら、同時にハウジング３０から離れてほぼ直線の方向に中心軸３４に沿って共に外向きにも移動する。カバー３２のハウジング３０に対する第一回転方向の継続回転により、取り付けラグ１３４を、第二端部９４にあるランプ９０の凸形に湾曲した部分へ且つその後にハウジング３０のリム４４の外表面５４へ回転させ、カバー３２をハウジング３０から取り外す。
【００１９】
図７に示されるように中心軸３４の周囲でカバー３２の第二時計回り回転方向の回転によって、取り付けラグ１３４を傾斜ランプ９０に沿って下向きに摺動させることにより、逆の方法でカバー３２をハウジング３０に連結し、この間、カバー３２に長手方向の力を軸３４に沿って加え、カバー３２をハウジング３０に係合するように押圧することもできる。あるいは、取り付けラグ１３４を最初に長手方向スロット８２の第二端部１００を通って通路１０６に沿って中心軸３４にほぼ平行な長手方向に、取り付けラグ１３４が底面７２に係合するまで移動して、カバー３２をハウジング３０に対し開放位置にあるようにできる。シール部材１３２はまた、ハウジング３０にカバー３２を連結することも抑制するが、シール部材１３２により与えられる抑制力は、ユーザが軸３４に沿ってカバー３２を押圧することにより比較的容易に克服できる。いったんカバー３２がハウジング３０に対し開放位置にあれば、ユーザは側壁１７０を指で把持し且つカバー３２を閉鎖位置に置くためにカバー３２を第二回転方向に回転し続け、取り付けラグ１３４を底面７２と張出し７４の係合面７６との間の半径方向スロット７０の第二端部１０４に回転させることができる。その結果、シール部材により与えられる保持力を克服するため傾斜ランプ９０により与えられる機械的な利点によって、カバー３２を、工具を使用せずに手だけでハウジング３０に取り付けし且つハウジングから取り外すことができる。
【００２０】
本発明の様々な特徴が、本発明の図示された実施形態と共に具体的に示され且つ記載されてきたが、これらの具体的な装置は単なる一例であり、また本発明は、添付された請求項の表現の範囲で最大限に説明されていることを理解する必要がある。
【図面の簡単な説明】
【００２１】
【図１】図１は、パネルに取り付けられて示される本発明のゲージ用筺体の側面図である。
【図２】図２は、ハウジングから取り外されるカバーと共に示されるゲージ用筺体の側面図である。
【図３】図３は、図２の線３−３に沿ったハウジングの上面図である。
【図４】図４は、図３の線４−４に沿ったハウジングの断面図である。
【図５】図５は、カバー取り外し装置の側面図である。
【図６】図６は、図５の線６−６に沿ったカバー取り外し装置の上面図である。
【図７】図７は、図２の線７−７に沿ったカバーの前面図である。
【図８】図８は、図７の線８−８に沿ったカバーの断面図である。
【図９】図９は、図２の線９−９に沿ったカバーの後面図である。
【図１０】図１０は、ハウジングの断面図である。
【符号の説明】
【００２２】
２０  筺体
２２  パネル
３０  ハウジング
３２  カバー
３４  長手方向軸
３６  側壁
３８  第一端部
４０  第二端部
４２  縁
４４  リム
４６  外縁
４８  内縁
６０  取付け装置
６２  第一ポスト
６４  第二ポスト
【図１】
0005020907.tif 000002
【図２】
0005020907.tif 000003
【図３】
0005020907.tif 000004
【図４】
0005020907.tif 000005
【図５】
0005020907.tif 000006
【図６】
0005020907.tif 000007
【図７】
0005020907.tif 000008
【図８】
0005020907.tif 000009
【図９】
0005020907.tif 000010
【図１０】
0005020907.tif 000011